(57)【要約】【課題】  厨芥ごみ収納容器内の清掃を行う際に、回転攪拌刃を外さないでも、厨芥ごみ収納容器内の部品等の細部まで容易に清掃できる厨芥処理機を提供する。【解決手段】  厨芥ごみを収納する厨芥ごみ収納容器４と、この厨芥ごみ収納容器４内の厨芥ごみを加熱する加熱手段１４と、前記厨芥ごみ収納容器４の底部に回転自在に設けられた回転攪拌刃６と、この回転攪拌刃６を駆動する駆動手段２４とを備え、前記回転攪拌刃６は上方に折り曲げることが出来る回転攪拌刃折り曲げ機構２５を設けた。また、回転攪拌刃折り曲げ機構２５は、少なくともチョウツガイ２６と、スライドさせることによりチョウツガイ２６部を固定したり、固定を解除したりすることが出来るストッパー２７とにより構成した。【選択図】  図６
2006198565.tif 000002
【特許請求の範囲】
【請求項１】
厨芥ごみを収納する厨芥ごみ収納容器（４）と、この厨芥ごみ収納容器（４）内の厨芥ごみを加熱する加熱手段（１４）と、前記厨芥ごみ収納容器（４）の底部に回転自在に設けられた回転攪拌刃（６）と、この回転攪拌刃（６）を駆動する駆動手段（２４）とを備え、前記回転攪拌刃（６）は上方に折り曲げることが出来る回転攪拌刃折り曲げ機構（２５）を設けたことを特徴とする厨芥処理機。
【請求項２】
回転攪拌刃折り曲げ機構（２５）は、少なくともチョウツガイ（２６）と、スライドさせることによりチョウツガイ（２６）部を固定したり、固定を解除したりすることが出来るストッパー（２７）とにより構成したことを特徴とする請求項１記載の厨芥処理機。
【発明の詳細な説明】
【技術分野】
【０００１】
本発明は、一般家庭等で発生する厨芥ごみを加熱乾燥して減容処理する厨芥処理機に関するものである。
【背景技術】
【０００２】
従来のこの種の厨芥処理機は、図１に示すような構造のものが知られている。すなわち、１は本体ケース、４は本体ケース内に設けられた厨芥ごみを収納する厨芥ごみ収納容器で、この厨芥ごみ収納容器４の底部には厨芥ごみを粉砕、攪拌する手段として凸部５と回転攪拌刃６が設けられている。
【０００３】
凸部５は厨芥ごみ収納容器４の下部内壁に設けられ、回転攪拌刃６は厨芥ごみ収納容器４の底面から突き出た被駆動回転軸７に連結機構を介して連結している。そして、この被駆動回転軸７は本体ケース１内に設けられた電動モーター９と、減速機構１０を介して回転駆動軸８に連結されている。
【０００４】
厨芥ごみ収納容器４の上方には厨芥ごみを加熱する加熱手段１４と送風手段１５が設けられており、この加熱手段１４と送風手段１５によって厨芥ごみの上部を熱風で加熱し、この加熱された厨芥ごみを電動モーター９によって駆動される回転攪拌刃６によって破砕しながら乾燥するようにしている（例えば、特許文献１参照）。
【０００５】
【特許文献１】特開２００２−２９２３５２
【発明の開示】
【発明が解決しようとする課題】
【０００６】
しかしながら、上記の従来技術において、厨芥処理機で何回も厨芥ごみを処理しているうちに、処理後の厨芥ごみが回転攪拌刃６などを含む厨芥ごみ収納容器４内の部品等の細部にこびりついてしまい、この汚れをそのままにしておくと、臭いや虫が発生する原因になりかねない。そのため、これを清掃して取り除こうとする場合、上記回転攪拌刃６が邪魔になって、汚れをきれいに取り除くことができないため回転攪拌刃６を取り外して厨芥ごみ収納容器４内を清掃するようにしているが、この清掃に煩わしさがあった。
【０００７】
そこで、本発明の目的は回転攪拌刃６を取り外さなくとも、厨芥ごみ収納容器４の細部まで容易に清掃できるようにすることである。
【課題を解決するための手段】
【０００８】
本発明は上記の問題を解決するためになされたものであり、請求項１は厨芥ごみを収納する厨芥ごみ収納容器と、この厨芥ごみ収納容器内の厨芥ごみを加熱する加熱手段と、前記厨芥ごみ収納容器の底部に回転自在に設けられた回転攪拌刃と、この回転攪拌刃を駆動する駆動手段とを備え、前記回転攪拌刃は上方に折り曲げることが出来る回転攪拌刃折り曲げ機構を設けたものである。
【０００９】
また、請求項２は回転攪拌刃折り曲げ機構は、少なくともチョウツガイと、スライドさせることによりチョウツガイ部を固定したり、固定を解除したりすることが出来るストッパーとにより構成したものである。
【発明の効果】
【００１０】
本発明の厨芥処理機は、上記のように構成したことにより、厨芥ごみ収納容器内を清掃する際に回転攪拌刃を上方に折り曲げることができるため、回転攪拌刃が邪魔になることなく、厨芥ごみ収納容器内の細部まで容易に清掃を行うことができ、臭いや虫の発生を防止することができる。
【発明を実施するための最良の形態】
【００１１】
以下、本発明の一実施例を図１〜図８を参照して説明する。図１は従来例及び本発明の一実施例を説明する厨芥処理機の縦断面図、図２は本発明の一実施例を示す厨芥処理機の要部構造を示す斜視図、図３は同じく要部構造を示す斜視図、図４は同じく脱臭器の内部構成を示す縦断面図、図５は同じく熱風循環風路ケースの縦断面図、図６は同じく回転攪拌刃の要部を示す斜視図、図７は同じく回転攪拌刃の要部を示す斜視図、図８は同じく厨芥ごみ収納容器縦断面図である。
【００１２】
図において、１は本体ケースで、金属製又は樹脂製のものである。２は本体蓋で、本体ケース１の上部に開閉自在に配設され、後部を蓋ヒンジ２ａにより枢支され、前部にフック２ｂを設けている。また、この本体蓋２は後部側、即ち、本体蓋２の蓋ヒンジ２ａ側が高く、前面に向けて下向きに傾斜しており、蓋ヒンジ２ａにバネやダンパー等の機構を設けて急開閉しないように保持されている。
【００１３】
３は外側固定容器で、本体ケース１内に取り付けられ、アルミや表面に防錆処理を施した鋼板により成形されている。
【００１４】
４は厨芥ごみを収納する厨芥ごみ収納容器で、外側固定容器３の内部に取り出し自在に配設されており、この厨芥ごみ収納容器４は表面に厨芥ごみがこびり付きにくいように剥離処理を施した鋼板や耐熱性、難燃性、さらには加水分解性に優れた分子配合を有した樹脂を混合したもので成形されている。
【００１５】
５は凸部で、厨芥ごみ収納容器４の下部内壁側面に内向きに形成してあり、この凸部５は、別部品により設けることも可能であるが、本実施例では、厨芥ごみ収納容器４に直接成形している。
【００１６】
６は回転攪拌刃で、固定片６ａと立ち上げ片６ｂ、６ｃで構成されており、厨芥ごみ収納容器４内の底部に回転自在に設置され、厨芥ごみ収納容器４内の厨芥ごみを攪拌するほかに、凸部５と連携して厨芥ごみを破砕するものである。
【００１７】
２６はチョウツガイで、図７に示すように回転攪拌刃６の固定片６ａと立ち上げ片６ｂ、６ｃとを接続しており、図８に示すように厨芥ごみ収納容器４内を清掃する時に回転攪拌刃６が邪魔にならないように、このチョウツガイ２６により回転攪拌刃６の立ち上げ片６ｂ、６ｃを上方に折り曲げることが出来るようになっている。
【００１８】
２７はストッパーで、図６、図７に示すように厨芥ごみを攪拌するときは回転攪拌刃６の立ち上げ片６ｂ、６ｃが固定片６ａに対し折れ曲がらないように固定させる役目をするもので、固定片６ａと立ち上げ片６ｂ、６ｃを接続しているチョウツガイ２６部に図７に示す矢印の方向にスライドさせ、チョウツガイ２６部を固定したり、図６に示す矢印の方向にスライドさせ固定を解除したりすることができるものである。そして、これらチョウツガイ２６とストッパー２７とで回転攪拌刃折り曲げ機構２５を構成している。
【００１９】
７は被駆動回転軸で、厨芥ごみ収納容器４の底面から突き出て設けられ、その先端が連結機構（図示せず）を介して回転攪拌刃６の固定片６ａと連結しており、厨芥ごみ収納容器４の取り外しの際には回転攪拌刃６ごと取り外されるものである。
【００２０】
８は回転駆動軸で、外側固定容器３の底部に取り付けられており、被駆動回転軸７と着脱自在に連結して被駆動回転軸７に回転力を伝えるものである。
【００２１】
９は電動モーターで、回転駆動軸８を回転させるための回転力を発生するものである。
【００２２】
１０は減速機構で、電動モーター９の回転力を減速して回転駆動軸８に伝達するもので、ギヤやベルトにより構成されている。そして、これら被駆動回転軸７と回転駆動軸８と電動モーター９と減速機構１０とで構成される駆動手段２４で前記回転攪拌刃６が駆動されている。
【００２３】
１１は内蓋で、本体蓋２内の下面に固定されていて、ステンレスや表面に防錆処理を施した鋼板又は耐熱性、難燃性、加水分解性に優れた樹脂製若しくは樹脂と金属の組み合わせにより構成されており、本体蓋２の傾斜形状に合わせて上面の周縁部に本体蓋２の後部側、即ち、本体蓋２の蓋ヒンジ２ａ側が高く、前面に向けて下向きに傾斜する周側壁１１ａを有している。
【００２４】
なお、この内蓋１１は、該内蓋１１と本体蓋２とに夫々嵌合部を設けて取り外し自在な構造とすることもでき、さらに、本体蓋２と一体に成形することもできる。
【００２５】
そして、この内蓋１１は、厨芥ごみ収納容器４の上部開口部を覆うように設けられており、厨芥ごみ収納容器４との接触部にゴムや軟質の樹脂によるパッキン１１ｉを設けることで、厨芥ごみ収納容器４とパッキン１１ｉを介して密閉構造としている。
【００２６】
また、内蓋１１は、周側壁１１ａの後部側に熱風吹出部１１ｂと、それより開口面積の大きい熱風吸気部１１ｃを周方向に沿って並べて開口するとともに、熱風吹出部１１ｂ直下の平面部に厨芥ごみ収納容器４内と連なる熱風吹出穴１１ｅを設け、両者をカバーガイド１１ｄで連結している。なお、熱風吹出穴１１ｅは穴部の周縁部につばを形成した鎧穴でもよい。
【００２７】
また、熱風吹出部１１ｂ直下の平面部の略中央部付近には複数の丸穴又は格子形状の小穴よりなる熱風吸込穴１１ｆが設けられ、その下面側は厨芥ごみ収納容器４内と連なり、上面側は熱風吸気部１１ｃに連なっている。
【００２８】
また、熱風吸込穴１１ｆと熱風吸気部１１ｃとの間にはその通風路を遮らない範囲で突壁１１ｇが設けられている。
【００２９】
さらに、内蓋１１の下面で熱風吹出穴１１ｅと熱風吸込穴１１ｆとの間には両穴を通る熱風が交じり合わないように仕切り壁１１ｈを設けている。
【００３０】
１２は熱風循環風路ケースで、耐熱樹脂よりなる略逆Ｌ状のものであり、外側固定容器３の外側で本体ケース１の中に納められており、その内部を循環風路仕切り壁１２ａが吹出し熱風風路１２ｂと吸込み熱風風路１２ｃとを仕切っており、その上端略水平部に内蓋１１の熱風吹出部１１ｂと連なる熱風吹出口１２ｄ及び熱風吸気部１１ｃと連なる熱風吸気口１２ｅを設けている。
【００３１】
また、この熱風循環風路ケース１２は、耐熱性、加水分解性などに優れたＰＰＳや結晶性のＰＳや耐熱性ＰＰによって二つ以上のケース部品１２ｆ、１２ｇを組み合わせて形成されているものであり、各ケース部品１２ｆ、１２ｇの合わせ部１２ｈはＳＵＳ等の金属線を介して加熱溶着によるシール又はシール材さらにはパッキンにより循環風が後記する脱臭器１６に導かれる以外に外部に漏れないようにシールされている。
【００３２】
また、熱風吹出口１２ｄ及び熱風吸気口１２ｅは熱風を整流するために複数の縦型ルーバーにより形成されており、かつ、熱風吹出口１２ｄの開口面積を熱風吸気口１２ｅの面積より小さくして両口を通る熱風の風速に差を持たせるようにしている。
【００３３】
１３は連絡口で、熱風循環風路ケース１２内の下部に設けられており、円形のベルマウス状の穴により形成され、循環風路仕切り壁１２ａによって仕切られた吹出し熱風風路１２ｂと吸込み熱風風路１２ｃとを連絡するとともに、後記する送風手段１５の循環ファン１５ａを駆動するファンモーター１５ｂのシャフト１５ｃを貫通させている。
【００３４】
１４は加熱手段で、電熱ヒーターよりなり、吹出し熱風風路１２ｂの中に配置され、その周囲を吹出し熱風風路１２ｂの内壁面に近接して配置された遮熱用の金属ケース１４ａによって囲まれており、厨芥ごみ収納容器４内に収納された厨芥ごみを加熱乾燥させる。尚、この加熱手段１４は電磁誘導加熱やマイクロ波加熱であってもよい。
【００３５】
１５は送風手段で、片面が開放状のターボファン又はラジアルファンよりなる循環ファン１５ａと、この循環ファン１５ａを駆動するファンモーター１５ｂと、そのシャフト１５ｃとで構成され、循環ファン１５ａの吸い込み側は連絡口１３を介して吸込み熱風風路１２ｃに対応し、吹出し側は加熱手段１４の配置された熱風風路１２ｂ側に対応している。
【００３６】
１６は脱臭器で、この脱臭器１６の内部には、複数の小穴よりなる酸化触媒１６ｂと触媒加熱ヒーター１６ａが設けられ、また脱臭器１６の蓋には脱臭器温度センサーＡ１６ｃと脱臭器温度センサーＢ１６ｄが設けられ、図１に示すように熱風吸気口１２ｅから吸込まれてきた循環熱風を触媒１６ｂに流入させ、後記する排気吸引ファン１７で吸引して本体ケース１の外部に排気するものである。
【００３７】
１７は排気吸引ファンで、循環ファン１５ａより直径が小さく、ターボファン又はラジアルファンによって構成され、送風手段１５のファンモーター１５ｂによって駆動されるようになっている。
【００３８】
１９は排気吸引ファン１７を収納している収納ケースで、熱風循環風路ケース１２のケース部品１２ｇの外側面にこれと一体に成形されており、収納ケース１９の側壁の中心部にはファンモーター１５ｂのシャフト１５ｃを貫通させるとともに、収納ケース１９内の排気吸引ファン１７と脱臭器１６を連絡する円形のベルマウス状の吸入口１８及び排気の排出口１７ａが設けられている。
【００３９】
２０はサービス点検用の蓋体で、送風手段１５と対向したケース部品１２ｆを切欠し、そこに取り外し自在に配置したものである。
【００４０】
２１は温度センサーＢで、熱風循環風路ケース１２の熱風吹出口１２ｄ内に臨ませてあり、該熱風吹出口１２ｄから内蓋１１を通して厨芥ごみ収納容器４内に流入する熱風温度を検知して加熱手段１４と送風手段１５の動作を制御する。
【００４１】
２２は温度過昇防止器で、熱風吹出口１２ｄのある熱風循環ケース１２の外側面に設けられており、熱風吹出口１２ｄの異常温度上昇を防止する。
【００４２】
２３は温度センサーＡで、送風手段１５の熱風吸気口１２ｅ内に臨ませてあり、厨芥ごみ収納容器４内の厨芥ごみを加熱した後の熱風温度を検知して、電動モーター９の駆動を制御し、回転攪拌刃６の攪拌タイミングの制御と乾燥終了の判定を制御手段（図示せず）で行うようにしている。
【００４３】
次に、上記厨芥処理機の動作について説明する。
【００４４】
本体蓋２のフック２ｂを外すと、本体蓋２はヒンジ２ａを支点にバネの力で開く。このとき、内蓋１１も一緒に上方に持ち上げられ、厨芥ごみ収納容器４の上面開口部が外部に露出する。
【００４５】
そして、厨芥ごみ収納容器４内に厨芥ごみを収納し、そののち、本体蓋２を閉める。本体蓋２は本体ケース１とフック２ｂにより固定される。
【００４６】
この状態で、電源入りスイッチ（図示せず）を投入すると、運転状態に入り、制御手段により電動モーター９が一定時間（約５秒間）駆動して厨芥ごみ収納容器４内の回転攪拌刃６が右左、右左と２回正逆回転し、厨芥ごみ収納容器４内の厨芥ごみが偏らないように平らにならし、その後、電動モーター９は停止し、回転攪拌刃６も回転を停止するように制御される。
【００４７】
また、前記電源入りスイッチの投入によって制御手段は触媒加熱ヒーター１６ａをＯＮとし、脱臭器温度センサーＡ１６ｃの検出する温度が所定温度（Ｔ１）に達してから所定温度（ｔ４）を超えた時、熱風循環風路ケース１２内の加熱手段１４と送風手段１５をＯＮするようにファンモーター１５ｂを駆動し、循環ファン１５ａ及び排気吸引ファン１７を回転させる。
【００４８】
そうすると、図５に示すように循環ファン１５ａで発生した風は吹出し熱風風路１２ｂを矢印のように上昇して加熱手段１４の周囲を通る間に熱風となり、さらに上昇して熱風吹出口１２ｄから本体蓋２の内蓋１１の周側壁１１ａに開口した熱風吹出部１１ｂを通り、カバーガイド１１ｄに誘導されて内蓋１１の熱風吹出穴１１ｅから厨芥ごみ収納容器４内に流入する。
【００４９】
そして、熱風吸気口１２ｅを通る熱風の温度が約１００℃になると、それを温度センサーＡ２３が検知して再び電動モーター９を駆動させ、厨芥ごみ収納容器４内の回転攪拌刃６が左４回、右４回と正逆回転動作を繰り返し、厨芥ごみ収納容器４内の厨芥ごみを加熱乾燥しながら攪拌し、さらに、回転攪拌刃６と凸部５が連携して破砕し、減縮する。
【００５０】
その後、臭気を含んだ熱風は厨芥ごみ収納容器４内を上昇して内蓋１１の熱風吸込穴１１ｆから内蓋１１の上面に吸い込まれ、さらに、突壁１１ｇを乗り越えて熱風吸気部１１ｃに達し、熱風循環風路ケース１２の熱風吸気口１２ｅから図５に示す矢印のように吸込み熱風風路１２ｃ内に流入し、連絡口１３から再び循環ファン１５ａによって吹出し熱風風路１２ｂに流出する。
【００５１】
以後、この熱風循環サイクルを繰り返し、厨芥ごみ収納容器４内の厨芥ごみを加熱、乾燥し、減縮する。このとき、加熱手段１４から送風手段１５によって熱風吹出口１２ｄを通して厨芥ごみ収納容器４内に吹き出される熱風は温度センサーＢ２１によって１４５℃程度に保たれるように制御される。尚、この熱風が１５０℃まで上昇した時は異常と判断し、温度過昇防止器２２が動作して運転を止める。
【００５２】
一方、熱風吸気口１２ｅより熱風循環風路ケース１２に吸込まれてきた熱風の一部は、吹出し熱風風路１２ｂを通って脱臭器１６に流入し、ここで脱臭されて排気吸引ファン１７により排出口１７ａを通して本体ケース１の外部に排出される。
【００５３】
この状態で厨芥ごみの加熱、乾燥、減容が進行していくと、厨芥ごみ収納容器４内の厨芥ごみの含水率が下がり、熱風吸気口１２ｅを通る熱風の温度が約１２０℃に上昇する。これを温度センサーＡ２３が検知して乾燥、減容が終了したと判断し、電動モーター９への通電を止めるとともに、回転攪拌刃６の回転も止める。このとき、加熱手段１４への通電も停止する。送風手段１５及び触媒加熱ヒーター１６ａにはその後も一定時間通電され、順次触媒加熱用ヒーター、送風手段１５が停止して運転が終了する。
【００５４】
そして、このような厨芥処理機で何回も厨芥ごみを処理しているうちに、処理後の厨芥ごみが回転攪拌刃６などを含む厨芥ごみ収納容器４内の部品等の細部にこびりついてしまい、この汚れをそのままにしておくと、臭いや虫が発生する原因になりかねないため、回転攪拌刃６のチョウツガイ２６の部分で折れ曲がらないように固定しているストッパー２７をスライドさせ、回転攪拌刃６の立ち上げ片６ｂ、６ｃを固定片６ａに対し上方に折り曲げ、回転攪拌刃６が邪魔になることなく、厨芥ごみ収納容器４内の細部にこびり付いた汚れをきれいに取り除くことができる。
【００５５】
このように、厨芥ごみ収納容器４内を清掃する際に回転攪拌刃６を上方に折り曲げることができるため、回転攪拌刃６が邪魔になることなく、厨芥ごみ収納容器４内の細部まで容易に清掃を行うことができ、臭いや虫の発生を防止することができる。
【００５６】
なお、回転攪拌刃６に設ける回転攪拌刃折り曲げ機構２５は本実施例に限定されるものではなく、その主旨を逸脱しない範囲において、種々の変更を加えることができる。
【図面の簡単な説明】
【００５７】
【図１】従来例及び本発明の一実施例を説明する厨芥処理機の縦断面図である。
【図２】本発明の一実施例を示す厨芥処理機の要部構造を示す斜視図である。
【図３】同じく要部構造を示す斜視図である。
【図４】同じく脱臭器の内部構成を示す縦断面図である。
【図５】同じく熱風循環風路ケースの縦断面図である。
【図６】同じく回転攪拌刃の要部を示す斜視図である。
【図７】同じく回転攪拌刃の要部を示す斜視図である。
【図８】同じく厨芥ごみ収納容器縦断面図である。
【符号の説明】
【００５８】
４  厨芥ごみ収納容器
６  回転攪拌刃
１４  加熱手段
２４  駆動手段
２５  回転攪拌刃折り曲げ機構
２６  チョウツガイ
２７  ストッパー
【図１】
2006198565.tif 000003
【図２】
2006198565.tif 000004
【図３】
2006198565.tif 000005
【図４】
2006198565.tif 000006
【図５】
2006198565.tif 000007
【図６】
2006198565.tif 000008
【図７】
2006198565.tif 000009
【図８】
2006198565.tif 000010